(57)【要約】【課題】水時における河川の氾濫を防止できるようにするとともに、平常時において近隣住民などの利便性を損なうことなく、景観も維持できるようにした河川敷の立設構造を提供する。【解決手段】河川敷の天端９４などのような平面部分に間欠的に設けられ、上面２２Ｕを着座可能な平面状にした柱状体２と、当該柱状体２の側面２２Ｓに設けられ、隣接する柱状体２との間に挿入可能に設けられる板状体４とを備えるようにする。この板状体４は、柱状体２の側面２２Ｓのスリット部２１に挿入される。スリット部２１は、側面２２Ｓ側の開口部を狭く、奥方２４側を広くしており、これによって、板状体４のガタつきをなくした状態で傾けて挿入できるようにする。【選択図】図３
2019007331.tif 000002
【特許請求の範囲】
【請求項１】
河川敷に間欠的に設けられ、上面を平面状にした柱状体と、
当該柱状体の側面に設けられ、隣接する柱状体との間に挿入可能に設けられる板状体と、
を備えて構成された河川敷の立設構造。
【請求項２】
前記柱状体が側面に縦長状のスリットを設けて構成されるものであり、
当該スリットが、側面方向に向かってテーパー状に設けられるものである請求項１に記載の河川敷の立設構造。
【請求項３】
さらに、前記柱状体と別に、前記板状体を挿入するためのスリット体を独立して設け、
柱状体の側面に、当該スリット体を挿入するための第二スリット部を設けるようにした請求項１に記載の河川敷の立設構造。
【請求項４】
前記スリット体が、柱状体の側面方向に向かってテーパー状に設けられるものである請求項３に記載の河川敷の立設構造。
【請求項５】
前記柱状体の底面に、地面に突刺して柱状体の移動を規制する突刺体を設けるようにした請求項１に記載の河川敷の立設構造。
【発明の詳細な説明】
【技術分野】
【０００１】
本発明は、河川敷に設けられる氾濫防止用の立設構造に関するものであり、より詳しくは、ベンチなどとしても利用できるようにした河川敷の立設構造に関するものである。
【背景技術】
【０００２】
一般に、一級河川や二級河川などのような大きな河川では、図６に示すように、低水路９１の両側の法面を介して高水敷９２が設けられており、さらに、その両側に法面９３を介して水平な天端９４が設けられている。そして、この法面９３や天端９４などによって堤防を築くようにすることで、増水時における河川の氾濫を防止するようにしている。
【０００３】
ところで、近年では地球温暖化に伴い、集中豪雨が頻繁に発生するようになってきており、これに伴って、河川の氾濫も多く報告されるようになってきている。このため、両岸の堤防を高く築いておく必要があるが、このように堤防を高くしたとしても、想定外の増水によって堤防を越えて水が氾濫してしまう。このように、堤防を越えて水が氾濫すると、そこから水によって堤防を削り取られ、堤防が低くなって一気に大災害を起こしてしまう。
【０００４】
そこで、このような増水時における河川の氾濫を防止するために、図５に示すような堤防装置が提案されている（特許文献１）。
【０００５】
この堤防装置は、堤防内に浮上可能な浮上体９５を設けておき、増水時に穴部９６の横方向から水が流れ込むことによって浮上体９５を浮かび上がらせ、これによって河川敷に沿った壁面を高くして河川の氾濫を防止できるようにしたものである。
【先行技術文献】
【特許文献】
【０００６】
【特許文献１】特開平１０−２８０３５７号公報
【発明の概要】
【発明が解決しようとする課題】
【０００７】
しかしながら、このような堤防装置は、河川全体にわたって堤防を掘削して壁面を埋設させておかなければならず、その工事に膨大なコストがかかるとともに、掘削された空間内に土砂や雑草などが入り込む可能性が高く、緊急時に浮力を生じない可能性もある。
【０００８】
一方、このような河川敷の天端は、通常時は付近の住民の散歩やジョギング、サイクリングコースなどとして利用されるため、大きな堤防を築くことは、利用者の利便性を損なうばかりでなく、景観も損ねてしまう可能性がある。
【０００９】
そこで、本発明は、上記課題に着目してなされたもので、増水時における河川の氾濫を防止できるようにするとともに、平常時において近隣住民などの利便性を損なうことなく、景観も維持できるようにした河川敷の立設構造を提供することを目的とするものである。
【課題を解決するための手段】
【００１０】
すなわち、本発明の河川敷の立設構造は、上記課題を解決するために、河川敷に間欠的に設けられ、上面を平面状にした柱状体と、当該柱状体の側面に設けられ、隣接する柱状体との間に挿入可能に設けられる板状体とを備えるようにしたものである。
【００１１】
このように構成すれば、柱状体の上面が平面状となっているため、その上面を座面として使用することができ、ジョギングやサイクリング、散歩時における休憩場所として使用することができるようになる。また、隣接する柱状体との間に板状体を挿入することによって壁面を形成することができ、緊急時における河川の氾濫を防止することができるようになる。
【００１２】
また、このような発明において、前記柱状体の側面に縦長状のスリットを設け、当該スリットをテーパー状に設ける。
【００１３】
このように構成すれば、曲がった河川に沿って立設された柱状体に板状体を挿入する場合であっても、その方向に沿って板状体を傾斜させて挿入することができるようになる。
【００１４】
さらに、前記柱状体と別に、前記板状体を挿入するためのスリット体を独立して設け、柱状体の側面に、当該スリット体を挿入するための第二スリット部を設けるようにする。
【００１５】
このように構成すれば、厚み寸法の異なる板状体を挿入する場合であっても、スリット体を別のスリット体に付け替えることで、厚い板状体を挿入して壁面を形成することができるようになる。
【００１６】
また、当該スリット体を、柱状体の側面方向に向かってテーパー状に設けるようにする。
【００１７】
このように構成すれば、スリット体を柱状体の上から挿入することで、側面方向に抜けるようなことがなくなり、スリット体を固定することができるようになる。
【００１８】
また、前記柱状体の底面に、地面に突き刺して柱状体の移動を規制する突刺体を設けるようにする。
【００１９】
このように構成すれば、水圧によって柱状体のずれを防止することができ、越水の被害を極力防止することができるようになる。特に、このような突刺体をＬ字状の鉄筋で構成するようにすれば、柱状体を地面に埋設させるための工事などが不要になり、短時間のうちに大量の柱状体などを設置して固定することができるようになる。
【発明の効果】
【００２０】
本発明によれば、河川敷に間欠的に設けられ、上面を平面状にした柱状体と、当該柱状体の側面に設けられ、隣接する柱状体との間に挿入可能に設けられる板状体とを備えるようにしたので、柱状体の上面を座面として使用することができ、ジョギングやサイクリング、散歩時における休憩場所として使用することができるようになる。また、隣接する柱状体との間に板状体を挿入することによって壁面を形成することができ、緊急時における河川の氾濫を防止することができるようになる。
【図面の簡単な説明】
【００２１】
【図１】本発明の一実施の形態における河川敷の立設構造を示す図
【図２】同形態における柱状体を示す概略図
【図３】同形態における非直線方向に柱状体を配置した状態を示す図
【図４】他の実施の形態における柱状体を示す図
【図５】従来例における氾濫防止構造を示す図
【図６】大きな河川における各部を示す図
【発明を実施するための形態】
【００２２】
以下、本発明の一実施の形態について図面を参照しながら説明する。
【００２３】
この実施の形態における河川敷の立設構造１は、図１に示すように、河川敷の天端９４などの平面状をなす部分に設けられるものであって、間欠的に立設される柱状体２や、この柱状体２の間に挿入される板状体４、および、この柱状体２などの移動を規制する突刺体６（図２参照）などを設けて構成される。そして、このように柱状体２の間に設けられる板状体４によって、堤防の高さを確保し、増水時における河川の氾濫を防止できるようにするとともに、その間欠的に設けられた柱状体２の上面２２Ｕを平面状とすることで、座面としても利用できるようにして、散歩やジョギングなどを行っている者に対して、休憩場所として利用できるようにしたものである。以下、本実施の形態について詳細に説明する。
【００２４】
まず、柱状体２は、河川敷の高水敷や天端などのような比較的平面状の部分に設けられ、コンクリートや金属などで構成されるものであって、平均的な大きさの人間が着座できるようにした約３５ｃｍ〜６０ｃｍ程度の高さを有し、また、その人間が着座できるように一辺４０ｃｍ〜６０ｃｍの大きさに設けられている。このとき、この柱状体２を数十メートルにわたって構成すると、その壁面によって大きな壁を形成することができるが、景観が悪くなるとともに、工事のためのコストも高くなる。そのため、ここでは平均的な大きさの人間が着座できるような大きさの柱状体２で構成するようにしている。
【００２５】
この柱状体２の上面２２Ｕは、人間が着座できるような平面状になっており、これによって散歩やジョギングなどの間に休憩できるようにしている。なお、ここで「平面状」とは、人間の尻部に対応した若干の湾曲形状をなす場合も含むものである。また、この柱状体２の上面２２Ｕには、この柱状体２を設置する際にクレーンで吊り下げるためのリング部材２２ａを着脱可能に取り付けられるようになっており、このリング部材２２ａなどを用いて柱状体２を設置した後には、そのリング部材２２ａを取り外して図示しないキャップで蓋をして平面状にできるようになっている。なお、このリング部材２２ａや蓋などは、板状体４にも設けられる。
【００２６】
このように形成された柱状体２は、地表面に立設させるようになっており、また、その底面に突刺部６２を有する突刺体６を設けることによって移動を規制して、増水時における水圧に耐えられるようにしている。
【００２７】
このような柱状体２は、間欠的に河川敷に設けられる。間隔としては、例えば、１ｍ〜３ｍ程度としておき、これによって板状体４に掛かる水圧に対する強度を確保できるようにするとともに、着座した際に隣接する者との距離を縮めてカップルなどが利用できるようにしておく。
【００２８】
このように設けられた柱状体２の側面２２Ｓには、図２に示すように、上下方向に沿ったスリット部２１が設けられている。このスリット部２１は、隣接する柱状体２との間に板状体４を挿入して取り付けられるようにしたものであって、板状体４の高さ寸法に対応した長さに設けられる。このとき、このスリット部２１の高さ寸法が短いと、板状体４を挿入した際に、板状体４が柱状体２の上面２２Ｕから突出してしまい、その上面２２Ｕを座面として使用することができなくなる。一方、スリット部２１の高さ寸法を長くし過ぎると、柱状体２の上面２２Ｕにスリットの凹みが生じてしまい、上面２２Ｕを平面状にしておくことができない。そこで、ここではスリット部２１の長さを板状体４の高さ寸法に設定しておき、これによって板状体４によって柱状体２の上面２２Ｕを平面状にできるようにしている。なお、ここでは柱状体２と板状体４との高さを揃えるようにしているが、板状体４の高さが若干相違してもよい。
【００２９】
このスリット部２１に板状体４を挿入する場合、柱状体２を直線的に配置することができる場合は、スリット部２１を板状体４の端部４１の形状に合わせて長方形状にしておいてもよいが、河川が蛇行している場合は、これに伴って、柱状体２を蛇行する方向に沿って配置しなければならない。また、柱状体２を設置したい場所に樹木などの障害物が存在している場合は、柱状体２を非直線状に配列しなければならない。このような場合、スリット部２１が、長方形状に形成されていると、その板状体４の左右方向の傾きを吸収することができなくなる。一方、そのスリット部２１の幅を大きくしておくと、板状体４にガタつきを生じ、その隙間に指を挟む可能性がある。そこで、この実施の形態では、図２や図３に示すように、柱状体２の側面２２Ｓ側の開口部２３を板状体４の厚みより広くしておくとともに、その奥方２４の幅寸法をほぼ板状体４の厚み程度にテーパー状にしておく。このように構成しておけば、板状体４を挿入した際のガタつきをなくすことができるとともに、図３に示すように、板状体４を左右方向に傾けて設ける場合であっても、開口部２３の広い隙間で板状体４を傾けることができるようになる。なお、ここでは柱状体２の側面２２Ｓ側の開口部２３を広くしたテーパー状にしたが、逆に、開口部２３側を板状体４の厚み程度としておき、奥方を広くするような逆のテーパー状にしてもよい。このようにした場合であっても、開口部２３側で板状体４のガタつきを防止することができるとともに、板状体４の角度を変えて設置することができるようになる。
【００３０】
また、このような板状体４を設ける場合、厚みの異なる板状体４を設けて水圧に耐えられるように変更する場合もある。そこで、図４に示すような第二の実施の形態で板状体４を挿入できるようにすることもできる。
【００３１】
図４の形態では、柱状体２の側面２２Ｓに、スリット部２１を有するスリット体３を挿入するための第二スリット部３１を設けるようにしている。この第二スリット部３１は、柱状体２の側面２２Ｓに縦長方向に沿って設けられており、一方、ここに挿入されるスリット体３は、柱状体２の上面２２Ｕに対して面一となるように設けられている。
【００３２】
ここで、スリット体３を挿入する場合、柱状体２の側面方向あるいは上方向から挿入できるようにし、左右の柱状体２で板状体３を挟み込めるようにしている。また、別の形態では、側面２２Ｓ方向にスリット体３を抜けないようにするためにテーパー状に形成しておき、同様にテーパー状に形成された第二スリット部３１に、上方からスリット体３を挿入して側面２２Ｓの方向に抜けないようにすることもできる。そして、このようにスリット体３を挿入した後、そのスリット体３に設けられたスリット部２１に板状体４を挿入し、隣接する柱状体２との間に壁面を設けるようにする。
【００３３】
そして、このような柱状体２や板状体４に対して、水圧による柱状体２などの移動を防止するための突刺体６を設けるようにする。この突刺体６は、鉄筋を屈曲させて設けられるものであって、図２に示すように、柱状体２の側面に接する側面接触部６１と、そこから柱状体２の底面に沿って屈曲し、地面に突き刺さる突刺部６２を設けて構成される。この突刺部６２は柱状体２の中央部分に位置するように設けられており、これによって柱状体２の重みによって地面に突き刺さるようになっている。一方、側面接触部６１側は、鉄筋を屈曲させて設けるようになっており、仮に、その柱状体２に座った場合であっても、鉄筋の尖った先端端部で人間の脚などを怪我させないようにしている。なお、ここでは、突刺体６を別体の鉄筋で構成するようにしたが、柱状体２や板状体４のコンクリートを成型する際に、中央部分から突刺部６２を突出させるように一体的に設けるようにしてもよい。また、ここでは柱状体２に突刺体６を設けるようにしたが、板状体６に同様の突刺体６を設けるようにすることもできる。
【００３４】
このように上記実施の形態によれば、河川敷に間欠的に設けられ、上面２２Ｕを平面状にした柱状体２と、当該柱状体２の側面２２Ｓに設けられ、隣接する柱状体２との間に挿入可能に設けられる板状体４とを備えるようにしたので、柱状体２の上面２２Ｕを座面として使用することができ、ジョギングやサイクリング、散歩時における休憩場所として使用することができるようになる。また、隣接する柱状体２との間に板状体４を挿入することによって壁面を形成することができ、緊急時における河川の氾濫を防止することができるようになる。
【００３５】
また、柱状体２の側面２２Ｓに縦長状のスリット部２１を設け、当該スリット部２１を、外側である側面２２Ｓ側の開口幅を狭く、内側である奥方２４側の開口幅を広くするようにしたので、図３に示すように、板状体４を傾斜させた状態で挿入することができるようになる。
【００３６】
さらに、図４に示すように、前記柱状体２と別に、前記板状体４を挿入するためのスリット体３を独立して設け、柱状体２の側面２２Ｓに、当該スリット体３を挿入するための第二スリット部３１を設けるようにすれば、厚みの異なる板状体４を挿入する場合であっても、スリット体３を別のスリット体３に付け替えることで、厚い板状体４に対応することができる。
【００３７】
また、当該スリット体３を、柱状体２の側面方向に向かってテーパー状に設けるようにすれば、スリット体３を柱状体２の上から挿入することで、側面２２Ｓの方向に抜けるようなことがなくなり、スリット体３を固定することができる。
【００３８】
また、柱状体２の底面に、地面に突刺して柱状体２の移動を規制するようにした突刺体６（突刺部６２）を設けるようにしたので、水圧による柱状体２のずれを防止することができ、越水による被害を防止することができるようになる。
【００３９】
なお、本発明は、上記実施の形態に限定されることなく、種々の態様で実施することができる。
【００４０】
例えば、上記実施の形態では、矩形状をなす柱状体２を例に挙げて説明したが、円柱状の柱状体２としてもよい。
【００４１】
また、上記実施の形態では、柱状体２と柱状体２の間に板状体４を取り付けるようにしたが、好天時などで板状体４を取り付ける必要がない場合は、板状体４を取り外しておき、または、その板状体４を上下に平行な棒状体を有するガードレールとしても使用することができうる。
【００４２】
さらに、上記実施の形態では、高さ３５ｃｍ〜６０ｃｍ程度、一辺４０ｃｍ〜６０ｃｍ程度の大きさの柱状体２としたが、大きさについてはこれに限定されるものでなく、人間が上面２２Ｕに着座することができ、かつ、増水時の水圧に耐えられるようなものであれば、どのようなものであってもよい。このような柱状体２の他の例として、横長のベンチ状のものであってもよい。
【００４３】
また、上記実施の形態では、板状体４を取り付けるようにしているが、この板状体４に傾斜センサーを取り付けておき、傾斜センサーによって傾きが検出された際に、警報を出力するようにしてもよい。このようにすれば、板状体４が水圧で傾斜した際に、河川の氾濫を報知することができ、近隣住民への避難をいち早く促すことができるようになる。このような傾斜センサーを取り付ける場合、板状体４に接するように棒状体を立設させておき、その上端にセンサー部を有する傾斜センサーを取り付けるようにするとよい。このようにすれば、板状体４の傾斜の検出以外に、板状体４を越えて水が氾濫してきた場合に、この棒状体が傾くことによって河川の氾濫をいち早く近隣住民に知らせることができるようになる。
【００４４】
また、上記実施の形態では、板状体４を柱状体２の中央部分に挿入して設けるようにしたが、このようにすれば、河川側の壁面に凹凸ができてしまうため、流れ方向に沿った水圧がかかってしまう。このため、河川側の壁面については柱状体２と同一面となるような形状の板状体４を設けるようにしてもよい。この場合、板状体４は、スリットに挿入される部分と、隣接する柱状体２の対向する側面２２Ｓに当接する段差部分と、柱状体２の河川側の壁面と同一面を構成する壁面とを有するような形状となる。
【符号の説明】
【００４５】
１・・・立設構造
２・・・柱状体
２１・・・スリット部
２２Ｕ・・・上面
２２Ｓ・・・側面
２２Ｄ・・・下方部分
２３・・・開口部
２４・・・奥方
３・・・スリット体
３１・・・第二スリット部
３２・・・開口部
３３・・・奥方
４・・・板状体
４１・・・端部
５・・・突刺体
５１・・・側面接触部
５２・・・突刺部
【図１】
2019007331.tif 000003
【図２】
2019007331.tif 000004
【図３】
2019007331.tif 000005
【図４】
2019007331.tif 000006
【図５】
2019007331.tif 000007
【図６】
2019007331.tif 000008